(57)【要約】      （修正有）【課題】ユーザ端末を用いてカラオケ店舗外で行った演奏予約が、ユーザの入店したカラオケ店舗にあるカラオケ装置で演奏されるカラオケ演奏予約システムの提供。【解決手段】ユーザ端末Ｙから送信されてくる演奏予約とユーザ識別情報とを少なくとも含む予約情報を受信する予約情報受信手段２ａと、予約情報受信手段２ａで受信した予約情報を記憶する予約情報記憶手段２ｂと、ユーザの来店に際し、ユーザのユーザ識別情報を取得するユーザ識別情報取得手段２ｃと、ユーザ識別情報取得手段２ｃで取得したユーザ識別情報と対応して記憶されている演奏予約を、予約情報記憶手段２ｂから抽出する演奏予約抽出手段２ｅと、この演奏予約抽出手段２ｅで抽出した演奏予約を、カラオケ装置５２に対して出力する演奏予約出力手段３ａとを具備し、カラオケ店舗外でユーザ端末Ｙを用いて行った演奏予約と対応する楽曲が、前記カラオケ装置５２で再生されるように構成。【選択図】図５
2006139128.tif 000002
【特許請求の範囲】
【請求項１】
カラオケ店舗外で使用するユーザ端末上で行われる演奏予約と、その演奏予約をしたユーザのユーザ識別情報とをユーザ端末から受信し、それら演奏予約とユーザ識別情報とを関連付けて記憶手段に記憶しておき、ユーザがカラオケ店舗に来店した際に、来店したユーザのユーザ識別情報を取得するとともに、取得したユーザ識別情報と対応する演奏予約を前記記憶手段から抽出することにより、演奏予約しておいた楽曲が、来店したカラオケ店舗に設置されているカラオケ装置で再生され得るようにしたカラオケ演奏予約システムであって、
ユーザ端末から送信されてくる演奏予約とユーザ識別情報とを少なくとも含む予約情報を受信する予約情報受信手段と、
この予約情報受信手段で受信した予約情報を記憶する予約情報記憶手段と、
ユーザの来店に際し、そのユーザのユーザ識別情報を取得するユーザ識別情報取得手段と、
このユーザ識別情報取得手段で取得したユーザ識別情報と対応して記憶されている演奏予約を、予約情報記憶手段から抽出する演奏予約抽出手段と、
この演奏予約抽出手段で抽出した演奏予約を、前記カラオケ装置に対して出力する演奏予約出力手段とを具備し、
カラオケ店舗外でユーザ端末を用いて行った演奏予約と対応する楽曲が、前記カラオケ装置で再生され得るように構成したことを特徴とするカラオケ演奏予約システム。
【請求項２】
前記ユーザ端末が、携帯電話であることを特徴とする請求項１記載のカラオケ演奏予約システム。
【請求項３】
各店舗を識別可能な店舗識別情報と各店舗において再生可能な楽曲とを関連付けて店舗毎再生可能楽曲として管理する店舗毎再生可能楽曲管理手段と、
この店舗毎再生可能楽曲管理手段で管理している店舗毎再生可能楽曲をユーザ端末に対して送信する店舗毎再生可能楽曲送信手段とを具備することを特徴とする請求項1又は２記載のカラオケ演奏予約システム。
【請求項４】
楽曲配信会社側装置から定期的に送信されてくる新曲情報を受信する新曲情報受信手段を具備し、
前記店舗毎再生可能楽曲管理手段が、前記新曲情報受信手段で受信した新曲情報を、店舗毎再生可能楽曲として管理することを特徴とする請求項３記載のカラオケ演奏予約システム。
【請求項５】
前記新曲情報受信手段が、前記新曲情報と、新曲の配信先店舗を示す配信先店舗情報とを関連付けた状態で受信することを特徴とする請求項４記載のカラオケ演奏予約システム。
【請求項６】
各店舗を識別可能な店舗識別情報と各店舗の所在地情報とを関連付けて管理する店舗所在地情報管理手段と、
店舗名又は所在地情報などを検索キーとした店舗を検索するための店舗検索情報をユーザ端末から受信する店舗検索情報受信手段と、
前記店舗検索情報受信手段で受信した店舗検索情報と対応する店舗識別情報又は所在地情報を店舗所在地情報管理手段から抽出する抽出手段と、
この抽出手段で抽出した店舗識別情報又は所在地情報を検索結果情報としてユーザ端末に送信する検索結果情報送信手段とを具備することを特徴とする請求項1乃至５いずれか記載のカラオケ演奏予約システム。
【請求項７】
前記カラオケ装置が、集中管理型カラオケシステムを構成するカラオケ装置であることを特徴とする請求項１乃至６いずれか記載のカラオケ演奏予約システム。
【請求項８】
ユーザ毎の売上情報を管理可能なＰＯＳシステムと接続されてなるものであって、
前記ユーザ識別情報取得手段が、前記ＰＯＳシステムで入手したユーザ情報を取得するように構成していることを特徴とする請求項１乃至７いずれか記載のカラオケ演奏予約システム。
【請求項９】
ユーザが利用する部屋を特定可能な利用室情報を取得する利用室情報取得手段を具備し、
前記演奏予約出力手段が、前記利用室情報取得手段で取得した利用室情報で特定される部屋のカラオケ装置に対して、演奏予約を出力することを特徴とする請求項１乃至８いずれか記載のカラオケ演奏予約システム。
【請求項１０】
ユーザ端末上で行われる演奏予約と、その演奏予約をしたユーザのユーザ識別情報とをそのユーザ端末から受信した際に、受信したユーザ識別情報と、そのユーザがカラオケ店舗に来店した際に取得しておいたユーザ識別情報とが一致するか否かをみて、一致する場合に、そのユーザ識別情報と対応する演奏予約を、そのカラオケ店舗に設置されているカラオケ装置で演奏し得るようにしたカラオケ演奏予約システムであって、
ユーザ端末から送信されてくる演奏予約とユーザ識別情報とを少なくとも含む予約情報を受信する予約情報受信手段と、
この予約情報受信手段で受信した予約情報を記憶する予約情報記憶手段と、
ユーザの来店に際し、そのユーザのユーザ識別情報を取得するユーザ識別情報取得手段と、
前記予約情報受信手段で受信したユーザ識別情報と、前記ユーザ識別情報取得手段で取得していたユーザ識別情報とが一致するか否かをみて、一致する場合に、そのユーザ識別情報と対応して記憶されている演奏予約を、予約情報記憶手段から抽出する演奏予約抽出手段と、
この演奏予約抽出手段で抽出した演奏予約を、前記カラオケ装置に対して出力する演奏予約出力手段とを具備し、
ユーザ端末を用いて行った演奏予約と対応する楽曲が、前記カラオケ装置で再生され得るように構成したことを特徴とするカラオケ演奏予約システム。
【発明の詳細な説明】
【技術分野】
【０００１】
本発明は、インターネット等の通信回線網に接続できるユーザ端末を利用して、カラオケ店舗の外からカラオケの演奏予約を行えるようにしたカラオケ演奏予約システムに関するものである。
【背景技術】
【０００２】
従来から、インターネットに接続可能な携帯電話を用いてカラオケサーバにアクセスし、カラオケの演奏予約を行えるようにした通信カラオケシステムが知られている。
【０００３】
具体的にこの種の通信カラオケシステムは、携帯電話はインターネット接続手段によりカラオケサーバーにアクセス可能とし、カラオケ演奏装置は、携帯電話の短距離無線通信手段と交信し、携帯電話から送達されたカラオケの演奏予約を一時記憶し、一時記憶した演奏予約に基づいてカラオケ伴奏音楽と歌詞字幕とを同期して音響映像出力し、カラオケサーバーは、アクセスしてきた携帯電話の認証手続きを済ませた上で、携帯電話が希望する楽曲のカラオケデータを携帯電話に送達し、携帯電話はカラオケサーバーから送達されてきたカラオケデータを短距離無線通信手段によりカラオケ演奏装置に転送するように構成されている（例えば、特許文献１参照）。
【特許文献１】特開２００４−１０９１４８号公報
【発明の開示】
【発明が解決しようとする課題】
【０００４】
ところが、従来の技術は、携帯電話とカラオケ装置との間を、短距離無線通信手段を用いて通信するように構成されているため、例えば、携帯電話とカラオケ装置とが、短距離無線通信手段として赤外線通信インタフェースを共に備えている場合には、装置間で問題なく通信することができるが、いずれか一方の装置が短距離無線通信手段として赤外線通信インタフェースを備え、他方がＢｌｕｅｔｏｏｔｈ（登録商標）を備えているなど、装置間で異なる通信インタフェースを短距離無線通信手段として備えている場合には、通信することができないといった問題点を有している。
【０００５】
したがって、予め、カラオケサーバに対して楽曲の予約をしておき、携帯電話からカラオケ装置に対して演奏予約を実行させる命令を送信したとしても、通信インタフェースが異なっている場合には、その実効命令がカラオケ装置に対して送信されず、予約しておいた楽曲がカラオケ装置で演奏されないといった不都合が発生する。
【０００６】
本発明は、このような課題に着目してなされたものであって、主たる目的は、ユーザ端末とカラオケ装置との通信インタフェースに拠ることなく、ユーザ端末を用いてカラオケ店舗外で行った演奏予約が、ユーザの入店したカラオケ店舗にあるカラオケ装置で演奏されるといった、優れたカラオケ演奏予約システムを提供することにある。
【課題を解決するための手段】
【０００７】
すなわち、本発明のカラオケ演奏予約システムは、カラオケ店舗外で使用するユーザ端末上で行われる演奏予約と、その演奏予約をしたユーザのユーザ識別情報とをユーザ端末から受信し、それら演奏予約とユーザ識別情報とを関連付けて記憶手段に記憶しておき、ユーザがカラオケ店舗に来店した際に、来店したユーザのユーザ識別情報を取得するとともに、取得したユーザ識別情報と対応する演奏予約を前記記憶手段から抽出することにより、演奏予約しておいた楽曲が、来店したカラオケ店舗に設置されているカラオケ装置で再生され得るようにしたカラオケ演奏予約システムであって、ユーザ端末から送信されてくる演奏予約とユーザ識別情報とを少なくとも含む予約情報を受信する予約情報受信手段と、この予約情報受信手段で受信した予約情報を記憶する予約情報記憶手段と、ユーザの来店に際し、そのユーザのユーザ識別情報を取得するユーザ識別情報取得手段と、このユーザ識別情報取得手段で取得したユーザ識別情報と対応して記憶されている演奏予約を、予約情報記憶手段から抽出する演奏予約抽出手段と、この演奏予約抽出手段で抽出した演奏予約を、前記カラオケ装置に対して出力する演奏予約出力手段とを具備し、カラオケ店舗外でユーザ端末を用いて行った演奏予約と対応する楽曲が、前記カラオケ装置で再生され得るように構成したことを特徴とする。
【０００８】
このようなものであれば、ユーザ端末を用いてカラオケ店舗外で行われた演奏予約とユーザ識別情報とを予約情報として予約情報受信手段が受信すると、受信した予約情報は、予約情報記憶手段に記憶される。そして、ユーザが来店した際には、そのユーザを識別可能なユーザ識別情報をユーザ識別情報取得手段が取得し、取得したユーザ識別情報と対応する演奏予約を、演奏予約抽出手段が予約情報記憶手段から抽出し、さらに抽出した演奏予約と対応する楽曲がカラオケ装置で演奏されるように、演奏予約出力手段がそのカラオケ装置に対して出力するため、予約の際に用いるユーザ端末とカラオケ装置との間では、情報を直接やり取りせずとも、ユーザ端末を用いてカラオケ店舗外で予約しておいた演奏予約と対応する楽曲が、カラオケ装置で演奏される。
【０００９】
すなわち、ユーザ端末とカラオケ装置との通信インタフェースに全く依存せず、ユーザ端末を用いてカラオケ店舗外で行った演奏予約が、ユーザの入店したカラオケ店舗にあるカラオケ装置で演奏されるといった、汎用性のある優れたカラオケ演奏予約システムを提供することができる。
【００１０】
なお、前記ユーザ端末が携帯電話であれば、略任意な場所で２４時間何時でもユーザが思い立ったときに当該カラオケ演奏予約システムに対して演奏予約を行えるなど、ユーザにとって非常に便利である。
【００１１】
各店舗を識別可能な店舗識別情報と各店舗において再生可能な楽曲とを関連付けて店舗毎再生可能楽曲として管理する店舗毎再生可能楽曲管理手段と、この店舗毎再生可能楽曲管理手段で管理している店舗毎再生可能楽曲をユーザ端末に対して送信する店舗毎再生可能楽曲送信手段とを具備するのであれば、例えば、複数の店舗の中から、歌いたい楽曲がある店舗を好適に探すこと等ができる。
【００１２】
日常的にリリースされる新曲に好適に対応するには、楽曲配信会社側装置から定期的に送信されてくる新曲情報を受信する新曲情報受信手段を具備し、前記店舗毎再生可能楽曲管理手段が、前記新曲情報受信手段で受信した新曲情報を、店舗毎再生可能楽曲として管理することが望ましい。
【００１３】
この場合に、前記新曲情報受信手段が、前記新曲情報と、新曲の配信先店舗を示す配信先店舗情報とを関連付けた状態で受信するのであれば、新曲とその配信先とを好適にリンクさせて管理等することができる。
【００１４】
ユーザの店舗検索に係る利便性を向上させるには、各店舗を識別可能な店舗識別情報と各店舗の所在地情報とを関連付けて管理する店舗所在地情報管理手段と、店舗名又は所在地情報などを検索キーとした店舗を検索するための店舗検索情報をユーザ端末から受信する店舗検索情報受信手段と、前記店舗検索情報受信手段で受信した店舗検索情報と対応する店舗識別情報又は所在地情報を店舗所在地情報管理手段から抽出する抽出手段と、この抽出手段で抽出した店舗識別情報又は所在地情報を検索結果情報としてユーザ端末に送信する検索結果情報送信手段とを具備していることが好ましい。
【００１５】
本発明の望ましい態様としては、前記カラオケ装置が、集中管理型カラオケシステムを構成するカラオケ装置であるものが挙げられる。
【００１６】
ユーザ毎の売上情報を管理可能なＰＯＳシステムと接続されてなるものであって、前記ユーザ識別情報取得手段が、前記ＰＯＳシステムで入手したユーザ情報を取得するように構成しているのであれば、演奏予約と、ＰＯＳシステムで取り扱う情報とを好適にリンクさせて、事業活動に有効に活用できる。また、ＰＯＳシステムが既設されているのであれば、ユーザ識別情報を取得するに必要な機器に対する無用な投資を行わずに済み、システムコストを抑えられる。
【００１７】
ユーザが利用する部屋を特定可能な利用室情報を取得する利用室情報取得手段を具備し、前記演奏予約出力手段が、前記利用室情報取得手段で取得した利用室情報で特定される部屋のカラオケ装置に対して、演奏予約を出力するのであれば、カラオケ店舗の実情に対応させて、好適に運営することができる。
【発明の効果】
【００１８】
以上説明したように本発明のカラオケ演奏予約システムによれば、ユーザ端末を用いてカラオケ店舗外で行われた演奏予約とユーザ識別情報とを予約情報として予約情報受信手段が受信すると、受信した予約情報は、予約情報記憶手段に記憶される。そして、ユーザが来店した際には、そのユーザを識別可能なユーザ識別情報をユーザ識別情報取得手段が取得し、取得したユーザ識別情報と対応する演奏予約を、演奏予約抽出手段が予約情報記憶手段から抽出し、さらに抽出した演奏予約と対応する楽曲がカラオケ装置で演奏されるように、演奏予約出力手段がそのカラオケ装置に対して出力するため、予約の際に用いるユーザ端末とカラオケ装置との間では、情報を直接やり取りせずとも、ユーザ端末を用いてカラオケ店舗外で予約しておいた演奏予約と対応する楽曲が、カラオケ装置で演奏される。
【００１９】
すなわち、ユーザ端末とカラオケ装置との通信インタフェースに全く依存せず、ユーザ端末を用いてカラオケ店舗外で行った演奏予約が、ユーザの入店したカラオケ店舗にあるカラオケ装置で演奏されるといった、汎用性のある優れたカラオケ演奏予約システムを提供することができる。
【発明を実施するための最良の形態】
【００２０】
以下、本発明の一実施形態を、図面を参照して説明する。
【００２１】
本発明の一実施形態におけるカラオケ演奏予約システムＸは、図１に示すように、複数のカラオケ店舗を管理する本部内に配された本部サーバ装置１と、カラオケ店舗（以下、「店舗」と称する。）内に配され且つユーザ端末Ｙからの演奏予約を受信する店舗サーバ装置２と、店舗内のカラオケ装置５２を、演奏予約と対応する楽曲を再生させ得る状態にする選曲命令出力装置３とを備えるものであって、本部サーバ装置１と店舗サーバ装置２とは、インターネットＩＮＴ等の通信回線網を介して通信可能に接続され、又、店舗サーバ装置２と選曲命令出力装置３とは、シリアルケーブル等によって通信可能に接続されている。
【００２２】
なお、本実施形態では、店舗サーバ装置２は、ユーザ毎の売上情報を管理可能なＰＯＳシステムのＰＯＳ端末４と通信可能に接続され、また、選曲命令出力装置３は、集中管理型カラオケシステム５と通信可能に接続されるようにしている。
【００２３】
以下、カラオケ演奏予約システムＸを構成する本部サーバ装置１、店舗サーバ装置２、選曲命令出力装置３について具体的に説明する前に、集中管理型カラオケシステム５と、ユーザ端末Ｙとについて簡単に説明しておく。
【００２４】
集中管理型カラオケシステム５は、１台の集中管理装置５１と、この集中管理装置５１にＬＡＮを介して接続された複数台のカラオケ装置５２とを具備するものである。なお、本実施形態では、集中管理装置５１に対して、同一機種のカラオケ装置５２を複数台接続するように構成しているが、同一機種のものに限らず、集中管理装置５１で管理し得る機種のカラオケ装置５２を適宜接続させることができる。また、各カラオケ装置５２は、楽曲配信社側装置Ｚから配信される楽曲データを受信し得るように、インターネットＩＮＴ又は電話回線を介して楽曲配信社側装置Ｚに接続されている。ここで、「楽曲配信社側装置Ｚ」とは、新曲を定期的に配信することを含めた楽曲の配信を業とする、楽曲配信会社によって運営管理されている装置のことをいう。なお、各カラオケ装置５２が、楽曲配信社側装置Ｚから配信される楽曲データを直接受信するように構成しているが、店舗サーバ装置２を介して受信するようにしてもよい。
【００２５】
ユーザ端末Ｙは、インターネットＩＮＴに接続して、Ｗｅｂページを表示し得る機能を有するものであって、本実施形態では、このユーザ端末Ｙを携帯電話としている。なお、このユーザ端末Ｙを、携帯電話に替えてＰＨＳやＰＤＡ等の携帯可能な端末とすることもできる。また、カラオケ店舗外で使用するものであれば、デスクトップパソコン等の据え置き型のものであってもよい。
【００２６】
以下、本部サーバ装置１、店舗サーバ装置２、選曲命令出力装置３について具体的に説明する。
【００２７】
本部サーバ装置１は、サーバとしての機能に加え、一般的な情報処理機能を有するものであって、図２に示すように、ＣＰＵ１０１、内部メモリ１０２、ＨＤＤ等の外部記憶装置１０３、マウスやキーボードなどの入力装置１０４、液晶ディスプレイなどの表示装置１０５、インターネットＩＮＴ等の通信回線網に接続するための通信インタフェース１０６等を具備している。
【００２８】
そして、この本部サーバ装置１は、その内部メモリ１０２に記憶されたプログラムにしたがって前記ＣＰＵ１０２や周辺機器を作動し、図５に示すように、新曲情報受信手段１ａ、店舗毎再生可能楽曲管理手段１ｂ、店舗毎再生可能楽曲送信手段１ｃ、店舗所在地情報管理手段１ｄ、店舗検索情報受信手段１ｅ、抽出手段１ｆ、検索結果情報送信手段１ｇ等としての機能を発揮する。以下、各手段について詳述する。
【００２９】
新曲情報受信手段１ａは、楽曲配信社側装置Ｚから定期的に送信されてくる新曲情報（本実施形態では、店舗識別情報たる店舗ＩＤ、楽曲を識別可能な曲ＩＤ、曲名、歌手名）と、この新曲情報と関連付けて送信されてくる、新曲の配信先店舗を示す配信先店舗情報（本実施形態では店舗ＩＤ）とを受信するものであって、前記通信インタフェース１０６等を利用して構成している。
【００３０】
店舗毎再生可能楽曲管理手段１ｂは、各店舗を識別可能な店舗識別情報と各店舗において再生可能な楽曲とを関連付けて店舗毎再生可能楽曲として管理するものである。本実施形態では、前記新曲情報受信手段１ａが新曲情報などを受信した場合には、受信した新曲情報を、店舗毎再生可能楽曲として管理するように構成している。
【００３１】
具体的には、図６に示すように、店舗ＩＤ、曲ＩＤ、曲名、歌手名、及び楽曲有無情報とを関連付けて管理している。ここで「楽曲有無情報」とは、フラグ「１」、「０」、「ＮＵＬＬ」で示される情報であって、フラグが「１」であれば「楽曲があり」、「０」であれば「楽曲がない」ことを示し、「ＮＵＬＬ」であれば、その店舗には、対応するカラオケ装置５２が無いため楽曲もないことを示している。
【００３２】
店舗毎再生可能楽曲送信手段１ｃは、前記店舗毎再生可能楽曲管理手段１ｂで管理している店舗毎再生可能楽曲をユーザ端末Ｙに対して送信するものであって、前記通信インタフェース１０６等を利用して構成している。
【００３３】
店舗所在地情報管理手段１ｄは、各店舗を識別可能な店舗識別情報と各店舗の所在地情報とを関連付けて管理するものである。
【００３４】
具体的に本実施形態において、所在地情報として、「住所」、「郵便番号」、「最寄り駅」、「最寄バス停」を管理するようにしているが、店舗を特定し得る情報であれば、これに限られるものではない。
【００３５】
店舗検索情報受信手段１ｅは、店舗名又は所在地情報などを検索キーとした店舗を検索するための店舗検索情報を、ユーザ端末Ｙから受信するものであって、前記通信インタフェース１０６等を利用して構成している。
【００３６】
具体的な店舗検索情報としては、店舗名の場合では「京都桂店」等が挙げられ、所在地情報の場合では「京都市西京区」等が挙げられる。また、店舗名や所在地情報に限らず、例えば、各店舗を識別可能な店舗ＩＤなどを採用することもできる。
【００３７】
抽出手段１ｆは、前記店舗検索情報受信手段１ｅで受信した店舗検索情報と対応する店舗識別情報又は所在地情報を店舗所在地情報管理手段１ｄから抽出するものである。
【００３８】
具体的には、例えば、受信した店舗検索情報と、完全一致する店舗識別情報や部分一致する店舗識別情報を、店舗所在地情報管理手段１ｄから抽出するように構成している。
【００３９】
検索結果情報送信手段１ｇは、抽出手段１ｆで抽出した店舗識別情報又は所在地情報を検索結果情報としてユーザ端末Ｙに送信するものであって、前記通信インタフェース１０６等を利用して構成している。
【００４０】
なお、図示はしていないが、店舗紹介データ、コンテンツデータ、広告データ等を、ユーザ端末Ｙに表示させたＷｅｂページ上で閲覧し得るように、これら各データを前記外部記憶装置１０３等を利用してデータベース化している。
【００４１】
店舗サーバ装置２は、サーバとしての機能に加え、一般的な情報処理機能（例えば、各種データの入出力などを行う端末としての機能）を有するものであって、図３に示すように、ＣＰＵ２０１、内部メモリ２０２、ＨＤＤ等の外部記憶装置２０３、マウスやキーボードなどの入力装置２０４、液晶ディスプレイなどの表示装置２０５、インターネットＩＮＴ等の通信回線網に接続するための通信インタフェース２０６、ＰＯＳ端末４と通信するための通信インタフェース２０７、選曲命令出力装置３と通信するための通信インタフェース２０８等を具備している。
【００４２】
そして、この店舗サーバ装置２は、その内部メモリ２０２に記憶されたプログラムにしたがって前記ＣＰＵ２０２や周辺機器を作動し、図５に示すように、予約情報受信手段２ａ、予約情報記憶手段２ｂ、ユーザ識別情報取得手段２ｃ、利用室情報取得手段２ｄ、演奏予約抽出手段２ｅ等としての機能を発揮する。以下、各手段について詳述する。
【００４３】
予約情報受信手段２ａは、ユーザ端末Ｙから送信されてくる演奏予約とユーザ識別情報とを少なくとも含む予約情報を受信するものであって、前記通信インタフェース２０６などを利用して構成している。本実施形態では、演奏予約として曲ＩＤを受信するようにしているが、楽曲を指定し得るものであればこれに限られるものではない。
【００４４】
予約情報記憶手段２ｂは、予約情報受信手段２ａで受信した予約情報を記憶するものであって、前記内部メモリ２０２または外部記憶装置２０３の所定領域に形成してなる。
【００４５】
ユーザ識別情報取得手段２ｃは、ユーザの来店に際し、そのユーザのユーザ識別情報を取得するものであって、通信インターフェース２０７などを利用して構成している。
【００４６】
具体的には、このユーザ識別情報取得手段２ｃが、ＰＯＳ端末４で入手したユーザ情報を、通信インターフェース２０７を介して取得するように構成している。
【００４７】
なお、ＰＯＳ端末４では、そのＰＯＳ端末４に設けたカードリーダ（図示せず）を用いて、会員カードに記憶しているユーザ識別情報を読み取って入手するようにしているが、これに限られず、例えば、ユーザ端末Ｙの画面に２次元バーコードとして表示させたユーザ識別情報を読み取って入手するようにしてもよいし、ユーザ端末Ｙの赤外線通信機能を利用して送信されてくるユーザ識別情報を受信して入手するようにしてもよい。すなわち、ＰＯＳ端末４でユーザ識別情報を入手する方法は、実施態様に応じて適宜変更可能である。
【００４８】
利用室情報取得手段２ｄは、ユーザが利用する部屋を特定可能な利用室情報を取得するものであって、通信インターフェース２０７などを利用して構成している。
【００４９】
具体的には、この利用室情報取得手段２ｄがＰＯＳ端末４に入力された利用室情報を、通信インターフェース２０７を介して取得するように構成している。
【００５０】
演奏予約抽出手段２ｅは、ユーザ識別情報取得手段２ｃで取得したユーザ識別情報と対応して記憶されている演奏予約を、予約情報記憶手段２ｂから抽出するものである。
【００５１】
具体的には、ユーザ識別情報取得手段２ｃで取得したユーザ識別情報と、完全一致するユーザ識別情報と関連付けて、予約情報記憶手段２ｂに記憶されている演奏予約（曲ＩＤ）を抽出するように構成している。
【００５２】
なお、図示はしていないが、メニューデータ、課金状況確認データ、店舗紹介データ、店舗端末用コンテンツに加え、各店舗で閲覧可能なマンガに係るデータ等を、ユーザ端末Ｙに表示させたＷｅｂページ上で閲覧や検索等をし得るように、これら各データを前記外部記憶装置２０３等を利用してデータベース化している。
【００５３】
選曲命令出力装置３は、一般的な情報処理機能を有するものであって、図４に示すように、ＣＰＵ３０１ａ及び内部メモリ３０１ｂを備えた制御部３０１、店舗サーバ装置２と通信するための通信インタフェース３０２、集中管理型カラオケシステム５の集中管理装置５１と通信するための通信インタフェース３０３等を具備している。
【００５４】
そして、この店舗サーバ装置２は、その内部メモリ３０１ｂに記憶されたプログラムにしたがって前記ＣＰＵ３０１ａや周辺機器を作動し、図５に示すように、演奏予約出力手段３ａ等としての機能を発揮する。以下、各手段について詳述する。
【００５５】
演奏予約出力手段３ａは、店舗サーバ装置２の演奏予約抽出手段２ｅで抽出した演奏予約を、前記利用室情報取得手段２ｄで取得した利用室情報で特定されるカラオケ装置５２に対して出力するように、集中管理型カラオケシステム５の集中管理装置５１に対して出力するものであって、前記通信インタフェース３０３などを利用して構成している。
【００５６】
次に、本実施形態のカラオケ演奏予約システムＸの動作ついて、（１）本部サーバ装置１、（２）店舗サーバ装置２、（３）選曲命令出力装置３に分けて、フロー図などを用いて説明する。
【００５７】
（１）本部サーバ装置１の動作について。
【００５８】
まず、図７に示すように、新曲情報受信手段１ａが、楽曲配信社側装置Ｚから送信されてくる新曲情報などを受信すると（ステップＳ１０１）、店舗毎再生可能楽曲管理手段１ｂが、受信した新曲情報などを内部メモリ１０２等に記憶させて管理する（ステップＳ１０２）。
【００５９】
そして、店舗検索情報受信手段１ｅが、ユーザ端末Ｙから送信されてくる店舗検索情報を受信すると（ステップＳ１０３）、抽出手段１ｆが、店舗検索情報受信手段１ｅで受信した店舗検索情報と対応する店舗識別情報又は所在地情報を店舗所在地情報管理手段１ｄから抽出し（ステップＳ１０４）、検索結果情報送信手段１ｇが、抽出手段１ｆで抽出した店舗識別情報又は所在地情報を検索結果情報としてユーザ端末Ｙに送信する（ステップＳ１０５）。このとき、店舗毎再生可能楽曲送信手段１ｃが、前記店舗毎再生可能楽曲管理手段１ｂで管理している店舗毎再生可能楽曲をユーザ端末Ｙに対して送信するようにしている（ステップＳ１０６）。
【００６０】
（２）店舗サーバ装置２の動作について。
【００６１】
まず、図８に示すように、予約情報受信手段２ａが、ユーザ端末Ｙから送信されてくる予約情報を受信すると（ステップＳ２０１）、予約情報記憶手段２ｂが、予約情報受信手段２ａで受信した予約情報を記憶する（ステップＳ２０２）。
【００６２】
そして、ユーザ識別情報取得手段２ｃが、来店したユーザのユーザ識別情報をＰＯＳ端末４から取得すると（ステップＳ２０３）、演奏予約抽出手段２ｅが、取得したユーザ識別情報と対応して記憶されている演奏予約を、予約情報記憶手段２ｂから抽出する（ステップＳ２０４）。また、利用室情報取得手段２ｄが、そのユーザが利用する部屋を特定可能な利用室情報をＰＯＳ端末４から取得したのち（ステップＳ２０５）、取得した演奏予約と利用室情報とが、選曲命令出力装置３に対して出力される（ステップＳ２０６）。
【００６３】
（３）選曲命令出力装置３の動作について。
【００６４】
図９に示すように、店舗サーバ装置２が出力した演奏予約と利用室情報とを当該選曲命令出力装置３が受け付けると（ステップＳ３０１）、演奏予約出力手段３ａが、演奏予約と利用室情報とを集中管理装置５１に対して出力する（ステップＳ３０２）。
【００６５】
このように、本実施形態に係るカラオケ演奏予約システムＸは、ユーザ端末Ｙを用いてカラオケ店舗外で行われた演奏予約とユーザ識別情報とを予約情報として予約情報受信手段２ａが受信すると、受信した予約情報は、予約情報記憶手段２ｂに記憶される。そして、ユーザが来店した際には、そのユーザを識別可能なユーザ識別情報をユーザ識別情報取得手段２ｃが取得し、取得したユーザ識別情報と対応する演奏予約を、演奏予約抽出手段２ｅが予約情報記憶手段２ｂから抽出し、さらに抽出した演奏予約と対応する楽曲がカラオケ装置５２で演奏されるように、演奏予約出力手段３ａがそのカラオケ装置５２に対して出力するため、予約の際に用いるユーザ端末Ｙとカラオケ装置５２との間では、情報を直接やり取りせずとも、ユーザ端末Ｙを用いてカラオケ店舗外で予約しておいた演奏予約と対応する楽曲が、カラオケ装置５２で演奏される。
【００６６】
すなわち、ユーザ端末Ｙとカラオケ装置５２との通信インタフェースに全く依存せず、ユーザ端末Ｙを用いてカラオケ店舗外で行った演奏予約が、ユーザの入店したカラオケ店舗にあるカラオケ装置５２で演奏されるといった、汎用性のある優れたカラオケ演奏予約システムＸを提供することができる。
【００６７】
なお、ユーザ端末Ｙを携帯電話としているので、略任意な場所で２４時間何時でもユーザが思い立ったときに当該カラオケ演奏予約システムＸに対して演奏予約を行えるなど、ユーザにとって非常に便利である。
【００６８】
各店舗を識別可能な店舗識別情報と各店舗において再生可能な楽曲とを関連付けて店舗毎再生可能楽曲として管理する店舗毎再生可能楽曲管理手段１ｂと、この店舗毎再生可能楽曲管理手段１ｂで管理している店舗毎再生可能楽曲をユーザ端末Ｙに対して送信する店舗毎再生可能楽曲送信手段１ｃとを具備しているので、例えば、複数の店舗の中から、歌いたい楽曲がある店舗を好適に探すこと等ができる。
【００６９】
楽曲配信社側装置Ｚから定期的に送信されてくる新曲情報を受信する新曲情報受信手段１ａを具備し、前記店舗毎再生可能楽曲管理手段１ｂが、前記新曲情報受信手段１ａで受信した新曲情報を、店舗毎再生可能楽曲として管理しているので、日常的にリリースされる新曲に好適に対応できる。また、前記新曲情報受信手段１ａが、前記新曲情報と、新曲の配信先店舗を示す配信先店舗情報とを関連付けた状態で受信するようにしているので、新曲とその配信先とを好適にリンクさせて管理等することができる。
【００７０】
各店舗を識別可能な店舗識別情報と各店舗の所在地情報とを関連付けて管理する店舗所在地情報管理手段１ｄと、店舗名又は所在地情報などを検索キーとした店舗を検索するための店舗検索情報をユーザ端末Ｙから受信する店舗検索情報受信手段１ｅと、前記店舗検索情報受信手段１ｅで受信した店舗検索情報と対応する店舗識別情報又は所在地情報を店舗所在地情報管理手段１ｄから抽出する抽出手段１ｆと、この抽出手段１ｆで抽出した店舗識別情報又は所在地情報を検索結果情報としてユーザ端末Ｙに送信する検索結果情報送信手段１ｇとを具備しているので、ユーザの店舗検索に係る利便性を向上させることができる。
【００７１】
ユーザ毎の売上情報を管理可能なＰＯＳシステムと接続されてなるものであって、前記ユーザ識別情報取得手段２ｃが、前記ＰＯＳシステムで入手したユーザ情報を取得するように構成しているので、演奏予約と、ＰＯＳシステムで取り扱う情報とを好適にリンクさせて、事業活動に有効に活用できる。また、ユーザ識別情報を取得するに必要な機器に対する無用な投資を行わずに済み、システムコストを抑えられる。
【００７２】
ユーザが利用する部屋を特定可能な利用室情報を取得する利用室情報取得手段２ｄを具備し、前記演奏予約出力手段３ａが、前記利用室情報取得手段２ｄで取得した利用室情報で特定される部屋のカラオケ装置５２に対して、演奏予約を出力するようにしているので、カラオケ店舗の実情に対応させて、好適に運営することができる。
【００７３】
なお、本発明は、以上に詳述した実施形態に限られるものではない。
【００７４】
例えば、本部サーバ装置１、店舗サーバ装置２、及び選曲命令出力装置３を、物理的に別体なものとしているが、例えば、本部サーバ装置１と店舗サーバ装置２とを一体にしたり、店舗サーバ装置２と選曲命令出力装置３とを一体にする等、実施態様に応じて適宜変更可能である。
【００７５】
また、本部サーバ装置１と、店舗サーバ装置２とを、インターネットＩＮＴを介さずに、専用線を用いて双方向通信可能に接続することを妨げない。
【００７６】
また、ユーザ識別情報を、ＰＯＳ端末４から取得するように構成しているが、ＰＯＳ端末４から取得せずに、当該カラオケ演奏予約システムＸで直接取得するようにしてもよい。
【００７７】
さらに、店舗には、集中管理型カラオケシステム５を構成するカラオケ装置５２を配しているが、スタンドアロンタイプのカラオケ装置が配されていても良い。
【００７８】
また、当該ユーザ端末Ｙを用いてカラオケ店舗内で演奏予約を行った場合でも、その演奏予約と対応する楽曲が、演奏予約をしたユーザが店内にいることを確認した上で、その店舗内のカラオケ装置５２から演奏される。すなわち、ユーザ端末Ｙとカラオケ装置５２との通信インタフェースに全く依存しないので、ユーザにとって使い易く、また、カラオケ店舗の運営側も無用な設備投資をせずに済むといった効果を奏し、汎用性のある優れたカラオケ演奏予約システムＸを提供することができる。
【００７９】
その他、各部の具体的構成についても上記実施形態に限られるものではなく、本発明の趣旨を逸脱しない範囲で種々変形が可能である。
【図面の簡単な説明】
【００８０】
【図１】本発明の一実施形態におけるカラオケ演奏予約システムを適用したシステムを示す概略図。
【図２】同実施形態における本部サーバ装置の機器構成図。
【図３】同実施形態における店舗サーバ装置の機器構成図。
【図４】同実施形態における選曲命令出力装置の機器構成図。
【図５】同実施形態におけるカラオケ演奏予約システムの機能構成図。
【図６】同実施形態における店舗ＩＤ等の記憶態様を示す図。
【図７】同実施形態における本部サーバ装置の動作を示すフローチャート。
【図８】同実施形態における店舗サーバ装置の動作を示すフローチャート。
【図９】同実施形態における選曲命令出力装置の動作を示すフローチャート。
【符号の説明】
【００８１】
Ｙ・・・・ユーザ端末（携帯電話）
Ｚ・・・・楽曲配信社側装置
１ａ・・・新曲情報受信手段
１ｂ・・・店舗毎再生可能楽曲管理手段
１ｃ・・・店舗毎再生可能楽曲送信手段
１ｄ・・・店舗所在地情報管理手段
１ｅ・・・店舗検索情報受信手段
１ｆ・・・抽出手段
１ｇ・・・検索結果情報送信手段
２ａ・・・予約情報受信手段
２ｂ・・・予約情報記憶手段
２ｃ・・・ユーザ識別情報取得手段
２ｅ・・・演奏予約抽出手段
２ｄ・・・利用室情報取得手段
３ａ・・・演奏予約出力手段
４・・・・ＰＯＳシステム（ＰＯＳ端末）
５・・・・集中管理型カラオケシステム
５２・・・カラオケ装置
【図１】
2006139128.tif 000003
【図２】
2006139128.tif 000004
【図３】
2006139128.tif 000005
【図４】
2006139128.tif 000006
【図５】
2006139128.tif 000007
【図６】
2006139128.tif 000008
【図７】
2006139128.tif 000009
【図８】
2006139128.tif 000010
【図９】
2006139128.tif 000011